(57)【要約】【課題】通信端末とアクセスポイントとが、より品質の良い無線チャネルを用いて通信を行うことができる通信端末を提供すること。【解決手段】本発明にかかる通信端末２０は、無線ＬＡＮ中継装置１０から、無線ＬＡＮ中継装置１０に接続するために用いることができる複数の接続情報を取得する情報取得部２１と、複数の接続情報の中から、具備する無線ＬＡＮ通信機能を実行するために用いることができる第１の接続情報を選択する情報選択部２２と、選択した第１の接続情報を設定して無線ＬＡＮ中継装置１０と無線ＬＡＮ通信する通信部２３と、を備える。【選択図】図１
2015216583.tif 000002
【特許請求の範囲】
【請求項１】
通信端末と通信する無線ＬＡＮ中継装置であって、
前記無線ＬＡＮ中継装置に接続するために用いる複数の接続情報を管理する情報管理部と、
前記複数の接続情報を前記通信端末へ送信する情報通知部と、
前記通信端末において具備する無線ＬＡＮ通信機能を実行するために前記複数の接続情報に含まれる第１の接続情報を設定した前記通信端末と通信する無線ＬＡＮ通信部と、を備える無線ＬＡＮ中継装置。
【請求項２】
前記情報通知部は、
ＮＦＣタグに格納されている前記複数の接続情報を、前記通信端末のＮＦＣリーダへ送信する、請求項１に記載の無線ＬＡＮ中継装置。
【請求項３】
前記接続情報は、ＳＳＩＤ及び暗号化情報を含み、
前記無線ＬＡＮ通信部は、
前記通信端末において通信可能な周波数帯において使用することができる第１のＳＳＩＤ及び前記通信端末において設定可能な第１の暗号化情報を含む前記第１の接続情報を設定した前記通信端末と通信する、請求項１又は２に記載の無線ＬＡＮ中継装置。
【請求項４】
前記情報通知部は、
前記無線ＬＡＮ通信部が、前記第１の接続情報を設定した前記通信端末と通信を行った場合、前記情報管理部において管理されている前記複数の接続情報のうち、前記第１の接続情報を無効に設定し、前記複数の接続情報を前記通信端末とは異なる他の通信端末へ送信する、請求項１乃至３のいずれか１項に記載の無線ＬＡＮ中継装置。
【請求項５】
前記情報通知部は、
前記無線ＬＡＮ通信部が、前記複数の接続情報のうち、前記第１の接続情報とは異なる接続情報を設定した前記他の通信端末と通信を行った場合、前記第１の接続情報を有効に設定する、請求項４に記載の無線ＬＡＮ中継装置。
【請求項６】
無線ＬＡＮ中継装置から、前記無線ＬＡＮ中継装置に接続するために用いる複数の接続情報を取得する情報取得部と、
具備する無線ＬＡＮ通信機能を実行するために前記複数の接続情報に含まれる第１の接続情報を選択する情報選択部と、
選択した前記第１の接続情報を設定して前記無線ＬＡＮ中継装置と無線ＬＡＮ通信する通信部と、を備える通信端末。
【請求項７】
前記情報取得部は、
前記無線ＬＡＮ中継装置のＮＦＣタグに設定された前記複数の接続情報を、ＮＦＣリーダを用いて読み込む、請求項６に記載の通信端末。
【請求項８】
前記接続情報は、ＳＳＩＤ及び暗号化情報を含み、
前記情報選択部は、
通信可能な周波数帯において使用することができる第１のＳＳＩＤ及び設定可能な第１の暗号化情報を含む前記第１の接続情報を選択する、請求項６又は７に記載の通信端末。
【請求項９】
無線ＬＡＮ中継装置から、前記無線ＬＡＮ中継装置に接続するために用いる複数の接続情報を取得し、
具備する無線ＬＡＮ通信機能を実行するために前記複数の接続情報に含まれる第１の接続情報を選択し、
選択した前記第１の接続情報を設定して前記無線ＬＡＮ中継装置と無線ＬＡＮ通信する、通信方法。
【請求項１０】
無線ＬＡＮ中継装置から、前記無線ＬＡＮ中継装置に接続するために用いる複数の接続情報を取得し、
具備する無線ＬＡＮ通信機能を実行するために前記複数の接続情報に含まれる第１の接続情報を選択し、
選択した前記第１の接続情報を設定して前記無線ＬＡＮ中継装置と無線ＬＡＮ通信することをコンピュータに実行させるプログラム。
【発明の詳細な説明】
【技術分野】
【０００１】
本発明は無線ＬＡＮ中継装置、通信端末、通信方法及びプログラムに関し、例えば無線ＬＡＮ通信を行う無線ＬＡＮ中継装置、通信端末、通信方法及びプログラムに関する。
【背景技術】
【０００２】
近年、インターネット使用の利便性を向上させることを目的として、自宅内においてアクセスポイントを設置し、無線ＬＡＮ（Local Area Network）を構築する事例が増加している。ここで、ユーザが保持する通信端末をアクセスポイントに接続する際に、ユーザは、通信端末に対して、アクセスポイントに接続するための無線ＬＡＮ設定を行う必要がある。通信端末に対する無線ＬＡＮ設定は、コンピュータの設定に慣れていないユーザにとっては困難な作業となる。そこで、特許文献１には、アクセスポイントの筐体表面にＲＦ（Radio Frequency）タグを取り付け、ＲＦタグに二次元コード等のコード情報を登録することが開示されている。ＲＦタグに、無線ＬＡＮ設定に必要な無線ＬＡＮ設定情報もしくはアクセスポイントへのアクセス情報等を登録することによって、ユーザは、通信端末を用いてＲＦタグを読み取ることが可能となり、容易に無線ＬＡＮ設定情報を取得及び設定することができる。
【先行技術文献】
【特許文献】
【０００３】
【特許文献１】特開２０１３−２４７４５２号公報
【発明の概要】
【発明が解決しようとする課題】
【０００４】
しかし、特許文献１に記載されている通信システムを用いた場合、通信端末は、アクセスポイントから通知された単一の無線ＬＡＮ設定情報を用いて、アクセスポイントへ接続する必要がある。そのため、通信端末が、通知された単一の無線ＬＡＮ設定情報とは異なる無線ＬＡＮ設定情報を利用して、より品質の良い無線チャネルを用いることができる場合においても、通信端末は、より品質の良い無線チャネルを用いることができないという問題がある。
【０００５】
本発明の目的は、上記の課題を解決するために、通信端末とアクセスポイントとが、より品質の良い無線チャネルを用いて通信を行うことができる無線ＬＡＮ中継装置、通信端末、通信方法及びプログラムを提供することにある。
【課題を解決するための手段】
【０００６】
本発明の第１の態様にかかる通信端末は、無線ＬＡＮ中継装置から、前記無線ＬＡＮ中継装置に接続するために用いる複数の接続情報を取得する情報取得部と、具備する無線ＬＡＮ通信機能を実行するために前記複数の接続情報の中から第１の接続情報を選択する情報選択部と、選択した前記第１の接続情報を設定して前記無線ＬＡＮ中継装置と無線ＬＡＮ通信する通信部と、を備えるものである。
【０００７】
本発明の第２の態様にかかる無線ＬＡＮ中継装置は、通信端末と通信する無線ＬＡＮ中継装置であって、前記無線ＬＡＮ中継装置に接続するために用いる複数の接続情報を管理する情報管理部と、前記複数の接続情報を前記通信端末へ送信する情報通知部と、前記通信端末において具備する無線ＬＡＮ通信機能を実行するために用いる前記複数の接続情報の中から第１の接続情報を設定した前記通信端末と通信する無線ＬＡＮ通信部と、を備えるものである。
【０００８】
本発明の第３の態様にかかる通信方法は、無線ＬＡＮ中継装置から、前記無線ＬＡＮ中継装置に接続するために用いる複数の接続情報を取得し、具備する無線ＬＡＮ通信機能を実行するために用いる前記複数の接続情報の中から第１の接続情報を選択し、選択した前記第１の接続情報を設定して前記無線ＬＡＮ中継装置と無線ＬＡＮ通信するものである。
【０００９】
本発明の第４の態様にかかるプログラムは、無線ＬＡＮ中継装置から、前記無線ＬＡＮ中継装置に接続するために用いる複数の接続情報を取得し、具備する無線ＬＡＮ通信機能を実行するために用いる前記複数の接続情報の中から第１の接続情報を選択し、選択した前記第１の接続情報を設定して前記無線ＬＡＮ中継装置と無線ＬＡＮ通信することをコンピュータに実行させるものである。
【発明の効果】
【００１０】
本発明により、通信端末とアクセスポイントとが、より品質の良い無線チャネルを用いて通信を行うことができる無線ＬＡＮ中継装置、通信端末、通信方法及びプログラムを提供することができる。
【図面の簡単な説明】
【００１１】
【図１】実施の形態１にかかる通信端末の構成図である。
【図２】実施の形態１にかかる無線ＬＡＮ中継装置の構成である。
【図３】実施の形態２にかかる無線ＬＡＮアクセスポイントの構成図である。
【図４】実施の形態２にかかるスマートフォンの構成図である。
【図５】実施の形態２にかかる無線ＬＡＮアクセスポイントにおける無線接続処理の流れを説明する図である。
【図６】実施の形態２にかかるスマートフォンにおける無線接続処理の流れを説明する図である。
【図７】実施の形態３にかかる無線ＬＡＮアクセスポイントの構成図である。
【図８】実施の形態３にかかる無線ＬＡＮアクセスポイントにおける無線接続処理の流れを説明する図である。
【図９】実施の形態３にかかるスマートフォンにおける無線接続処理の流れを説明する図である。
【発明を実施するための形態】
【００１２】
（実施の形態１）
以下、図面を参照して本発明の実施の形態について説明する。はじめに、図１を用いて本発明の実施の形態１にかかる通信端末２０の構成例について説明する。通信端末２０は、無線ＬＡＮ通信機能を有するコンピュータ装置であり、例えば、スマートフォン、携帯電話端末、タブレット端末もしくはパーソナルコンピュータ等であってもよい。コンピュータ装置は、例えば、メモリに格納されたプログラムをＣＰＵ(Central Processing Unit)が実行することによって動作する装置である。通信端末２０は、情報取得部２１、情報選択部２２及び通信部２３を有している。通信端末２０は、無線ＬＡＮ通信において、子機として動作する。
【００１３】
情報取得部２１は、無線ＬＡＮ中継装置１０から、無線ＬＡＮ中継装置１０に接続するために用いることができる複数の接続情報を取得する。無線ＬＡＮ中継装置１０は、例えば、無線ＬＡＮアクセスポイントであってもよい。もしくは、無線ＬＡＮ中継装置１０は、無線ＬＡＮアクセスポイントの機能を有するスマートフォン、モバイルルータ等であってもよい。無線ＬＡＮ中継装置１０は、無線ＬＡＮ通信において、親機として動作する。
【００１４】
接続情報は、例えば、ＳＳＩＤ（Service Set Identifier）及び暗号化情報を含む情報である。例えば、情報取得部２１は、無線ＬＡＮ中継装置１０と近距離無線通信を行うことによって、無線ＬＡＮ中継装置１０から複数の接続情報を取得してもよい。近距離無線通信は、例えば、ＮＦＣ（Near Field Communication）、Ｂｌｕｅｔｏｏｔｈ（登録商標）もしくは赤外線通信等であってもよい。もしくは、情報取得部２１は、通信端末２０がスマートフォン端末もしくは携帯電話等である場合に、モバイルネットワークを介して無線ＬＡＮ中継装置１０から接続情報を取得してもよい。つまり、情報取得部２１は、無線ＬＡＮ中継装置１０と直接通信を行って複数の接続情報を取得してもよく、無線ＬＡＮ中継装置１０との間にモバイルネットワークもしくは他の中継装置等を介して間接的に通信を行って複数の接続情報を取得してもよい。
【００１５】
また情報取得部２１は、いずれの通信方式であっても、順次送信される接続情報を受信してもよく、一括で送信される接続情報を受信してもよい。ここで、情報取得部２１が、順次送信される接続情報を受信する場合の効果について説明する。例えば、接続情報の送信間隔は、ユーザが知覚できないほど短い送信間隔となるか、もしくは、ユーザが知覚することができる程度の送信間隔となる場合がある。例えば、ユーザが知覚することができる程度の送信間隔である場合、接続情報を受信する通信端末２０側において、今受信した接続情報は何であるのかを表示するなどして、ユーザに受信した接続情報を知覚させ、ユーザが望むタイミングで接続を切断することも可能である。もしくは、不要とする接続情報をユーザの判断で取得を止め、取得した接続情報の中で、通信端末２０が所望する接続情報を無線ＬＡＮ中継装置１０に返送することも可能となる。これにより、接続情報を通信端末２０側で自動選択させるとともに、ある程度、ユーザが接続情報を選択を行うことも可能となる。
【００１６】
さらに、通信端末２０が接続情報を選択し、無線ＬＡＮ中継装置１０と接続した後に、無線ＬＡＮ中継装置１０は、接続情報を含むビーコン信号を通信端末２０へ送信してもよい。この場合、通信端末２０は、ビーコン信号によって送信された接続情報を選択しなおしてもよい。
【００１７】
情報選択部２２は、情報取得部２１において取得した複数の接続情報の中から、具備する無線ＬＡＮ通信機能を実行するために用いることができる接続情報を選択する。通信端末２０が具備する無線ＬＡＮ通信機能は、例えば、使用する電波の周波数帯もしくは使用する暗号化方式等によって定められる。情報選択部２２は、例えば、通信端末２０が使用する電波の周波数帯及び使用する暗号化方式等を満たす接続情報を選択する。
【００１８】
通信部２３は、情報選択部２２において選択された接続情報を設定して、無線ＬＡＮ中継装置１０と無線ＬＡＮ通信を行う。無線ＬＡＮ通信は、例えばＩＥＥＥ（Institute of Electrical and Electronics Engineers）８０２．１１規格に定められる通信方式であってもよい。
【００１９】
続いて、図２を用いて本発明の実施の形態１にかかる無線ＬＡＮ中継装置１０の構成例について説明する。無線ＬＡＮ中継装置１０は、情報管理部１１、情報通知部１２及び無線ＬＡＮ通信部１３を有している。
【００２０】
情報管理部１１は、通信端末２０が無線ＬＡＮ中継装置１０に接続するために用いることができる複数の接続情報を管理する。例えば、情報管理部１１は、接続情報として、ＳＳＩＤ及び暗号化方式を関連づけて管理してもよい。
【００２１】
情報通知部１２は、情報管理部１１に格納されている複数の接続情報を通信端末２０へ送信する。情報通知部１２は、近距離無線通信を行うことによって、複数の接続情報を通信端末２０へ送信してもよい。もしくは、情報通知部１２は、通信端末２０がスマートフォン端末携帯電話端末等である場合に、モバイルネットワークを介して接続情報を通信端末２０へ送信してもよい。
【００２２】
無線ＬＡＮ通信部１３は、情報通知部１２が送信した複数の接続情報に含まれるいずれかの接続情報を設定した通信端末２０と通信を行う。
【００２３】
以上説明したように、本発明の実施の形態１にかかる通信端末２０は、複数の接続情報の中から、具備する無線ＬＡＮ通信機能を実行するために用いることができる接続情報を選択することができる。そのため、例えば、通信端末２０は、複数の接続情報の中から、品質の向上が見込める接続情報を選択することによって、高品質な無線チャネルを用いて無線ＬＡＮ中継装置１０と通信することができる。
【００２４】
（実施の形態２）
続いて、図３を用いて本発明の実施の形態２にかかる無線ＬＡＮアクセスポイント３０の構成例について説明する。無線ＬＡＮアクセスポイント３０は、図１及び図２において説明した無線ＬＡＮ中継装置１０に相当する。無線ＬＡＮアクセスポイント３０は、５Ｇ無線部３１、２．４Ｇ無線部３２、制御部３３、ＷＡＮ回線部３５、ＬＡＮ回線部３６、メモリ３７及びＮＦＣタグ３８を有している。また、制御部３３は、暗号化処理部３４を有している。
【００２５】
メモリ３７は、図２の情報管理部１１に相当する。ＮＦＣタグ３８は、図２の情報通知部１２に相当する。５Ｇ無線部３１及び２．４Ｇ無線部３２は、図２の無線ＬＡＮ通信部１３に相当する。
【００２６】
次に、無線ＬＡＮアクセスポイント３０の各構成要素について説明する。ＷＡＮ回線部３５は、光通信回線等を介して無線ＬＡＮアクセスポイント３０をインターネットへ接続する。ＬＡＮ回線部３６は、イーサネット（登録商標）ケーブル等を用いて、パーソナルコンピュータ等と接続する。
【００２７】
５Ｇ無線部３１は、５ＧＨｚ帯の周波数を用いた電波を出力する。言い換えると、５Ｇ無線部３１は、５ＧＨｚ帯の周波数を用いてスマートフォン等と無線ＬＡＮ通信を行う。５ＧＨｚ帯の周波数を使用する通信規格として、ＩＥＥＥ８０２．１１ａ、ＩＥＥＥ８０２．１１ｈ等がある。２．４Ｇ無線部３２は、２．４ＧＨｚ帯の周波数を用いた電波を出力する。言い換えると、２．４Ｇ無線部３１は、２．４ＧＨｚ帯の周波数を用いてスマートフォン等と無線ＬＡＮ通信を行う。２．４ＧＨｚ帯の周波数を使用する通信規格として、ＩＥＥＥ８０２．１１ｂ、ＩＥＥＥ８０２．１１ｇ、ＩＥＥＥ８０２．１１ｈ等がある。
【００２８】
メモリ３７は、無線ＬＡＮ設定情報を格納している。無線ＬＡＮ設定情報は、図１及び図２において説明した接続情報に相当する。ここで、メモリ３７が格納する無線ＬＡＮ設定情報について具体的に説明する。例えば、メモリ３７は、無線ＬＡＮ設定情報１、無線ＬＡＮ設定情報２及び無線ＬＡＮ設定情報３を格納しているとする。無線ＬＡＮ設定情報１は、５Ｇ無線部３１において使用するためのＳＳＩＤ１と、暗号化方式としてＷＰＡ（Wi-Fi Protected Access）（登録商標）２において用いられる暗号化キー情報１とを有する。無線ＬＡＮ設定情報２は、２．４Ｇ無線部３２において使用するためのＳＳＩＤ２と、暗号化方式としてＷＰＡ２において用いられる暗号化キー情報２とを有する。無線ＬＡＮ設定情報３は、２．４Ｇ無線部３２において使用するためのＳＳＩＤ３と、暗号化方式としてＷＥＰにおいて用いられる暗号化キー情報３とを有する。一般的に、ＷＰＡ２は、ＷＥＰと比較して暗号化強度が強い暗号化方式である。ここでは、メモリ３７が３つの無線ＬＡＮ設定情報を保持する例について説明したが、メモリ３７が保持する無線ＬＡＮ設定情報の数は３つに制限されない。
【００２９】
ＮＦＣタグ３８には、メモリ３７に格納されている情報と同一の情報が書き込まれている。ＮＦＣタグ３８は、ＮＦＣリーダ機能を有する通信端末とＮＦＣ通信を行うことによって、書き込まれている情報を通信端末へ送信する。例えば、ＮＦＣタグ３８は、無線ＬＡＮアクセスポイント３０の筐体の外側に張り付けられている。つまり、ＮＦＣタグ３８は、ＮＦＣリーダ機能を有する通信端末を保持するユーザが視認することができる位置に張り付けられている。
【００３０】
制御部３３は、通信端末へ送信するデータを暗号化処理部３４において暗号化し、暗号介したデータを５Ｇ無線部３１もしくは２．４Ｇ無線部３２を介して通信端末へ送信する。例えば、制御部３３は、５Ｇ無線部３１を介して接続している通信端末に対しては、ＷＰＡ２を用いて暗号化したデータを送信し、２．４Ｇ無線部３２を介して接続している通信端末に対しては、ＷＰＡ２を用いて暗号化したデータもしくはＷＥＰを用いて暗号化したデータを送信する。また、制御部３３は、５Ｇ無線部３１もしくは２．４Ｇ無線部３２を介して受信したデータを、暗号化処理部３４において復号してもよい。
【００３１】
続いて、図４を用いて本発明の実施の形態２にかかるスマートフォン４０の構成例について説明する。スマートフォン４０は、図１の通信端末２０に相当する。スマートフォン４０は、ＮＦＣリーダ部４１、５Ｇ無線部４２、２．４Ｇ無線部４３及び制御部４４を有する。さらに、制御部４４は、暗号化処理部４５を有する。
【００３２】
ＮＦＣリーダ部４１は、図１の情報取得部２１に相当する。５Ｇ無線部４２及び２．４Ｇ無線部４３は、図１の通信部２３に相当する。制御部４４は、図１の情報選択部２２に相当する。
【００３３】
次に、スマートフォン４０の各構成要素について説明する。ＮＦＣリーダ部４１は、無線ＬＡＮアクセスポイント３０のＮＦＣタグ３８とＮＦＣ通信を行う。ＮＦＣリーダ部４１は、ＮＦＣタグ３８とＮＦＣ通信を行い、ＮＦＣタグ３８に書き込まれている情報を読み込む。ＮＦＣリーダ部４１は、ＮＦＣタグ３８に書き込まれている無線ＬＡＮ設定情報１、無線ＬＡＮ設定情報２及び無線ＬＡＮ設定情報３のすべてを読み込む。
【００３４】
制御部４４は、ＮＦＣリーダ部４１において読み込まれた複数の無線ＬＡＮ設定情報のうち、もっとも通信品質がよい無線ＬＡＮ設定情報を選択してもよい。例えば、スマートフォン４０は、５Ｇ無線部４２及び２．４Ｇ無線部４３を有しているため、５ＧＨｚ及び２．４ＧＨｚの両方の周波数帯に対応している。さらに、暗号化処理部４５が、ＷＰＡ２及びＷＥＰの両方に対応しているとする。ここで、一般的に、５ＧＨｚの周波数帯は、２．４ＧＨｚの周波数帯よりも電波利用率が低いという傾向がある。この理由の一つとして、５ＧＨｚの周波数帯に対応した製品のほうが、２．４ＧＨｚの周波数帯に対応した製品よりも少ないということがあげられる。
【００３５】
このような場合、制御部４４は、５ＧＨｚの周波数帯で用いられるＳＳＩＤ１と、ＷＰＡ２において用いられる暗号化キー情報１を含む無線ＬＡＮ設定情報１を選択する。なぜなら、暗号化強度が強いＷＰＡ２を用いたほうが、ＷＥＰを用いる場合よりも通信時のセキュリティが向上し、さらに、２．４ＧＨｚの周波数帯よりも混雑していない５ＧＨｚの周波数帯を用いるほうが、無線通信品質が安定し、スループットの向上が見込めるからである。
【００３６】
制御部４４は、無線ＬＡＮ設定情報１を選択した場合、ＳＳＩＤ１及び暗号化キー情報１を設定し、５Ｇ無線部４２を介して無線ＬＡＮアクセスポイント３０と通信を行う。暗号化処理部４５は、無線ＬＡＮアクセスポイント３０へデータを送信する際に、ＷＰＡ２に関する暗号化処理を行い、データを暗号化する。
【００３７】
図４においては、５Ｇ無線部４２及び２．４Ｇ無線部４３を有するスマートフォン４０の構成について説明したが、例えば、スマートフォンは、２．４Ｇ無線部４３のみを有する場合もある。２．４Ｇ無線部４３のみを有するスマートフォンは、無線ＬＡＮ設定情報１〜３を読み込んだ場合、無線ＬＡＮ設定情報２もしくは無線ＬＡＮ設定情報３を選択することができる。このような場合、２．４Ｇ無線部４３のみを有するスマートフォンの暗号化処理部４５が、暗号化処理能力としてＷＰＡ２及びＷＥＰに対応している場合、無線ＬＡＮ設定情報２を選択し、暗号化処理能力としてＷＥＰしか対応していない場合、無線ＬＡＮ設定情報３を選択する。
【００３８】
図４においては、図１の通信端末２０の具体例として、スマートフォン４０を用いて説明したが、通信端末２０は、例えばゲーム端末等の端末装置であってもよい。
【００３９】
続いて、図５を用いて、無線ＬＡＮアクセスポイント３０における無線接続処理の流れについて説明する。はじめに、制御部３３は、スマートフォン４０から送信された無線接続要求メッセージを受信したか否かを判定する（Ｓ１１）。制御部３３は、無線接続要求メッセージを受信していないと判定した場合、ステップＳ１１の処理を繰り返す。
【００４０】
制御部３３は、無線接続要求メッセージを受信していると判定した場合、無線接続要求メッセージに含まれるＳＳＩＤを抽出し、抽出したＳＳＩＤがＳＳＩＤ１か否かを判定する（Ｓ１２）。制御部３３は、抽出したＳＳＩＤがＳＳＩＤ１であると判定した場合、５Ｇ無線部３１を介して、スマートフォン４０へ暗号化キーを要求するメッセージを送信する（Ｓ１３）。次に、制御部３３は、スマートフォン４０から、暗号化キー情報１を取得したか否かを判定する（Ｓ１４）。制御部３３は、例えば、所定期間内に、暗号化キー情報１を取得したか否かを判定してもよい。制御部３３は、所定期間内に暗号化キー情報１を取得しなかった場合、ステップＳ１１の処理を繰り返す。ここで、所定期間内に暗号化キー情報１を取得しなかった場合とは、暗号化キー情報を受信しなかった場合及び暗号化キー情報１とは異なる暗号化キー情報を受信した場合を含む。また、ステップＳ１４においては、スマートフォン４０から送信されたデータが、暗号化キー情報１を用いて暗号化されたデータであるか否かを判定してもよい。
【００４１】
制御部３３は、スマートフォン４０から暗号化キー情報１を取得した場合、スマートフォン４０の無線接続を許可する（Ｓ１５）。
【００４２】
ステップＳ１２において、制御部３３は、抽出したＳＳＩＤが、ＳＳＩＤ１ではないと判定した場合、抽出したＳＳＩＤがＳＳＩＤ２であるか否かを判定する（Ｓ１６）。制御部３３は、抽出したＳＳＩＤがＳＳＩＤ２であると判定した場合、２．４Ｇ無線部３２を介して、スマートフォン４０へ暗号化キーを要求するメッセージを送信する（Ｓ１７）。次に、制御部３３は、スマートフォン４０から、暗号化キー情報２を取得したか否かを判定する（Ｓ１４）。制御部３３は、所定期間内に暗号化キー情報２を取得しなかった場合、ステップＳ１１の処理を繰り返す。制御部３３は、スマートフォン４０から暗号化キー情報２を取得した場合、スマートフォン４０の無線接続を許可する（Ｓ１９）。
【００４３】
ステップＳ１６において、制御部３３は、抽出したＳＳＩＤが、ＳＳＩＤ２ではないと判定した場合、抽出したＳＳＩＤがＳＳＩＤ３であるか否かを判定する（Ｓ２０）。制御部３３は、抽出したＳＳＩＤがＳＳＩＤ３であると判定した場合、２．４Ｇ無線部３２を介して、スマートフォン４０へ暗号化キーを要求するメッセージを送信する（Ｓ２１）。次に、制御部３３は、スマートフォン４０から、暗号化キー情報３を取得したか否かを判定する（Ｓ１４）。制御部３３は、所定期間内に暗号化キー情報３を取得しなかった場合、ステップＳ１１の処理を繰り返す。制御部３３は、スマートフォン４０から暗号化キー情報３を取得した場合、スマートフォン４０の無線接続を許可する（Ｓ２３）。
【００４４】
ステップＳ１５、Ｓ１９及びＳ２３において無線接続が許可された後は、ステップＳ１１以降の処理を繰り返す。
【００４５】
続いて、図６を用いて、スマートフォン４０における無線接続処理の流れについて説明する。具体的には、本図においては、ＮＦＣリーダ部４１が、無線ＬＡＮアクセスポイント３０のＮＦＣタグ３８に近づけられた場合の処理の流れについて説明する。言い換えると、ＮＦＣリーダ部４１が、ＮＦＣタグ３８と通信可能な位置に近づけられた場合の処理の流れについて説明する。
【００４６】
はじめに、ＮＦＣリーダ部４１は、制御部４４より、ＮＦＣタグのリード要求が行われているか否かを判定する（Ｓ３１）。ＮＦＣリーダ部４１は、リード要求が行われていないと判定した場合、ステップＳ３１の処理を繰り返す。ＮＦＣリーダ部４１は、リード要求が行われたと判定した場合、ＮＦＣタグ３８からデータを読み出し、読み出したデータをスマートフォン４０内のメモリ等（図示せず）に格納する（Ｓ３２）。ここでは、ＮＦＣリーダ部４１は、ＮＦＣタグ３８から、無線ＬＡＮ設定情報１〜３を読み出したとする。
【００４７】
次に、制御部４４は、暗号化処理部４５がＷＰＡ２に対応しているか否かを判定する（Ｓ３３）。制御部４４は、暗号化処理部４５がＷＰＡ２に対応していると判定した場合、スマートフォン４０が５ＧＨｚ帯の周波数帯を用いた無線通信を行うことができるか否かを判定する（Ｓ３４）。例えば、制御部４４は、５Ｇ無線部４２があるか否かを判定してもよい。制御部４４は、スマートフォン４０が５ＧＨｚ帯の周波数を用いた無線通信を行うことができると判定した場合、５Ｇ無線部４２を用いて無線ＬＡＮアクセスポイント３０から出力されているＳＳＩＤをサーチする。ここでは、制御部４４は、ＳＳＩＤ１をサーチする（Ｓ３５）。
【００４８】
次に、制御部４４は、ＳＳＩＤ１を検出したか否かを判定する（Ｓ３６）。制御部４４は、ＳＳＩＤ１を検出していないと判定した場合、ステップＳ３５の処理を繰り返す。制御部４４は、ＳＳＩＤ１を検出したと判定した場合、５Ｇ無線部４２を介して、ＳＳＩＤ１、つまり無線ＬＡＮアクセスポイント３０へ無線接続処理を実行する（Ｓ３７）。
【００４９】
次に、制御部４４は、無線ＬＡＮアクセスポイント３０との無線接続が完了したか否かを判定する（Ｓ３８）。制御部４４は、無線接続が完了していないと判定した場合、ステップＳ３７の処理を繰り返す。制御部４４は、無線接続が完了していると判定した場合、ステップＳ３１の処理を繰り返す。無線接続が完了したとは、５Ｇ無線部４２と無線ＬＡＮアクセスポイント３０との間のリンクが設定され、５Ｇ無線部４２と無線ＬＡＮアクセスポイント３０との間において通信が行える状態である。
【００５０】
ステップＳ３４において、制御部４４は、スマートフォン４０が５ＧＨｚ帯の周波数を用いた無線通信を行うことができないと判定した場合、２．４Ｇ無線部４３を用いて、無線ＬＡＮアクセスポイント３０から出力されているＳＳＩＤをサーチする。ここでは、制御部４４は、ＳＳＩＤ２をサーチする（Ｓ３９）。
【００５１】
次に、制御部４４は、ＳＳＩＤ２を検出したか否かを判定する（Ｓ４０）。制御部４４は、ＳＳＩＤ２を検出していないと判定した場合、ステップＳ３９の処理を繰り返す。制御部４４は、ＳＳＩＤ１を検出したと判定した場合、ステップＳ４１以降の処理を実行する。ステップＳ４１及びステップＳ４２は、ステップＳ３７及びステップＳ３８と同様であるため詳細な説明を省略する。
【００５２】
ステップＳ３３において、制御部４４は、暗号化処理部４５がＷＰＡ２に対応していないと判定した場合、２．４Ｇ無線部４３を用いて、無線ＬＡＮアクセスポイント３０から出力されているＳＳＩＤをサーチする。ここでは、制御部４４は、ＳＳＩＤ３をサーチする（Ｓ４３）。
【００５３】
次に、制御部４４は、ＳＳＩＤ３を検出したか否かを判定する（Ｓ４４）。制御部４４は、ＳＳＩＤ３を検出していないと判定した場合、ステップＳ４３の処理を繰り返す。制御部４４は、ＳＳＩＤ３を検出したと判定した場合、ステップＳ４５以降の処理を実行する。ステップＳ４５及びステップＳ４６は、ステップＳ３７及びステップＳ３８と同様であるため詳細な説明を省略する。
【００５４】
以上説明したように、本発明の実施の形態２にかかる無線ＬＡＮアクセスポイント３０及びスマートフォン４０を用いることによって、スマートフォン４０は、無線ＬＡＮアクセスポイント３０から取得した複数の無線ＬＡＮ設定情報の中から、自装置の通信可能周波数帯及び対応している暗号化処理能力に応じて、もっとも通信品質の向上が見込める無線ＬＡＮ設定情報を選択することができる。これによって、スマートフォン４０は、選択した無線ＬＡＮ設定情報を設定して、無線ＬＡＮアクセスポイント３０と高品質な無線チャネルを用いて無線ＬＡＮ通信を行うことができる。
【００５５】
（実施の形態３）
続いて、図７を用いて本発明の実施の形態３にかかる無線ＬＡＮアクセスポイント５０の構成例について説明する。無線ＬＡＮアクセスポイント５０は、図３において説明した無線ＬＡＮアクセスポイント３０に、ＮＦＣライター部５１が追加された構成である。本図においては、主に、図３の無線ＬＡＮアクセスポイント３０と異なる点について説明する。
【００５６】
ＮＦＣライター部５１は、ＮＦＣタグ３８に書き込まれている情報の有効化もしくは無効化の設定を行う。例えば、ＮＦＣタグ３８には、メモリ３７に格納されている無線ＬＡＮ設定情報１〜３が書き込まれているとする。ＮＦＣライター部５１は、例えば、無線ＬＡＮ設定情報１〜３のうち、無線ＬＡＮ設定情報１を無効化し、もしくは、有効化してもよい。ＮＦＣリーダ部４１は、無効化された無線ＬＡＮ設定情報を読み込まない。つまり、ＮＦＣリーダ部４１は、無効化された無線ＬＡＮ設定情報以外の無線ＬＡＮ設定情報を読み込む。
【００５７】
ＮＦＣライター部５１を設けた理由について以下に説明する。例えば、無線ＬＡＮアクセスポイント５０に接続するスマートフォン４０等の無線ＬＡＮ子機の多くが、５ＧＨｚ帯及び２．４ＧＨｚ帯における通信を行うことができる場合、スマートフォン４０は、５ＧＨｚ帯のＳＳＩＤに接続する。そのため、５ＧＨｚ帯及び２．４ＧＨｚ帯における通信を行うことができるスマートフォン４０が複数存在する場合、５ＧＨｚ帯における通信が増加し、５ＧＨｚ帯における通信容量が増加するため、無線環境の悪化が引き起こされることが懸念される。
【００５８】
そのため、例えば、ＮＦＣライター部５１が、５ＧＨｚ帯における通信が増加してきている場合には、５ＧＨｚ帯において用いられるＳＳＩＤ１を含む無線ＬＡＮ設定情報１を無効化することによって、スマートフォン４０を２．４ＧＨｚ帯の周波数を用いて通信するように誘導することができる。
【００５９】
続いて、図８を用いて、本発明の実施の形態３にかかる無線ＬＡＮアクセスポイント３０における無線接続処理の流れについて説明する。なお、図８は、図５との差異点のみを示す図である。具体的には、図８の処理は、図５の処理におけるステップＳ１５、Ｓ１９及びＳ２３の後に、ステップＳ５１もしくはＳ５２を追加したことを示している。
【００６０】
図５のステップＳ１５において、制御部３３が、無線ＬＡＮ設定情報１に含まれるＳＳＩＤ１に対して無線接続要求を行ってきたスマートフォン４０との無線接続を許可すると、ＮＦＣライター部５１は、ＮＦＣタグ３８に書き込まれている無線ＬＡＮ設定情報１を無効設定にする（Ｓ５１）。以降、図５のステップＳ１１へ遷移する。
【００６１】
図５のステップＳ１９において、制御部３３が、無線ＬＡＮ設定情報２に含まれるＳＳＩＤ２に対して無線接続要求を行ってきたスマートフォン４０との無線接続を許可すると、ＮＦＣライター部５１は、ＮＦＣタグ３８に書き込まれている無線ＬＡＮ設定情報１を有効設定にする（Ｓ５２）。以降、図５のステップＳ１１へ遷移する。
【００６２】
図５のステップＳ２３において、制御部３３が、無線ＬＡＮ設定情報３に含まれるＳＳＩＤ３に対して無線接続要求を行ってきたスマートフォン４０との無線接続を許可すると、ＮＦＣライター部５１は、ＮＦＣタグ３８に書き込まれている無線ＬＡＮ設定情報１を有効設定にする（Ｓ５２）。以降、図５のステップＳ１１へ遷移する。図８におけるその他の処理は、図５と同様であるため詳細な説明を省略する。
【００６３】
図８において説明した処理を実行することにより、無線ＬＡＮアクセスポイント５０は、５ＧＨｚ帯のＳＳＩＤ１に対する無線接続を許可した後に、次に無線接続を要求するスマートフォン４０等に対しては、無線ＬＡＮ設定情報１を出力しない。これによって、無線ＬＡＮアクセスポイント５０は、５ＧＨｚ帯のＳＳＩＤ１に対する無線接続を許可した後に、次に無線接続を要求するスマートフォン４０等を２．４ＧＨｚ帯のＳＳＩＤ２もしくはＳＳＩＤ３へ接続するように誘導することができる。
【００６４】
さらに、無線ＬＡＮアクセスポイント５０は、２．４ＧＨｚ帯のＳＳＩＤ２もしくはＳＳＩＤ３に対する無線接続を許可した場合、ＮＦＣタグ３８における無線ＬＡＮ設定情報１を有効設定にする。これにより、その後、５ＧＨｚ帯及び２．４ＧＨｚ帯に対応しているスマートフォン４０等から無線接続要求があった場合、５ＧＨｚ帯のＳＳＩＤ１へ接続するように誘導することができる。
【００６５】
続いて、図９を用いてスマートフォン４０における無線接続処理の流れについて説明する。なお、図９は、図６との差異点のみを示す図である。具体的には、図９の処理は、図６の処理におけるステップＳ３３の後に、ステップＳ６１を追加したことを示している。
【００６６】
図６のステップＳ３３において、制御部４４は、暗号化処理部４５がＷＰＡ２に対応していると判定した場合、図５のステップＳ３１においてＮＦＣタグ３８から読み出し、ステップＳ３２において格納したデータの中に、５ＧＨｚ帯に対応したＳＳＩＤ１があるか否かを判定する（Ｓ６１）。
【００６７】
制御部４４は、ステップＳ３３において格納したデータの中に、５ＧＨｚ帯に対応したＳＳＩＤ１がないと判定した場合、図６のステップＳ３９へ遷移し、ＳＳＩＤ２をサーチする。制御部４４は、ステップＳ３３において格納したデータの中に、５ＧＨｚ帯に対応したＳＳＩＤ１があると判定した場合、ステップＳ３４へ遷移し、スマートフォン４０が、５ＧＨｚ帯の周波数を用いた無線通信を行うことができるか否かを判定する。図９におけるその他の処理は、図６と同様であるため詳細な説明を省略する。
【００６８】
以上説明したように、図８及び図９の無線接続処理を実行することによって、実施の形態１及び２と比較して、スマートフォン４０等が５ＧＨｚ帯へ接続する頻度を少なくすることができる。そのため、無線ＬＡＮアクセスポイント５０の周辺に、５ＧＨｚ帯及び２．４ＧＨｚ帯に対応している複数のスマートフォン４０等が存在する場合に特定の周波数帯である、５ＧＨｚ帯のみを混雑させることを回避することができる。
【００６９】
（実施の形態４）
続いて、本発明の実施の形態４にかかるＮＦＣライター部５１におけるＮＦＣタグ３８の書き換え処理について説明する。実施の形態１〜３においては、ＮＦＣタグ３８に無線ＬＡＮ設定情報が書き込まれている例について説明したが、実施の形態４においては、ＮＦＣタグ３８に、無線ＬＡＮ設定情報とともにＷｅｂサーバのＵＲＬ等を示すＷｅｂ情報が書き込まれているとする。ここで、ＮＦＣライター部５１は、ＮＦＣタグ３８に書き込まれているＷｅｂサーバのＵＲＬを書き換えることができるとする。
【００７０】
スマートフォン４０は、無線ＬＡＮ設定情報とともにＷｅｂサーバ１のＵＲＬを示すＷｅｂ情報１を読み出し、無線ＬＡＮアクセスポイント５０との無線接続が完了すると、Ｗｅｂサーバ１へのインターネットアクセスを行う。つまり、無線ＬＡＮアクセスポイント５０は、スマートフォン４０がＷｅｂサーバ１へインターネットアクセスを行うよう誘導することができる。
【００７１】
さらに、ＮＦＣライター部５１が、ＮＦＣタグ３８に書き込まれているＷｅｂサーバ１のＵＲＬを示すＷｅｂ情報１を、Ｗｅｂサーバ２のＵＲＬを示すＷｅｂ情報２に書き換えたとする。ＮＦＣライター部５１が、ＮＦＣタグ３８に書き込まれているＷｅｂ情報１をＷｅｂ情報２に書き換えた後に、無線ＬＡＮアクセスポイント５０に対して無線接続要求を行ったスマートフォン４０は、Ｗｅｂ情報２を読み出す。この場合、スマートフォン４０は、無線ＬＡＮアクセスポイント５０と無線接続との無線接続が完了すると、Ｗｅｂサーバ２へのインターネットアクセスを行う。つまり、無線ＬＡＮアクセスポイント５０は、ＮＦＣタグ３８に書き込まれているＷｅｂ情報１をＷｅｂ情報２に書き換えることによって、スマートフォン４０がＷｅｂサーバ２へインターネットアクセスを行うよう誘導することができる。
【００７２】
ＮＦＣライター部５１は、さらに、Ｗｅｂ情報２を、Ｗｅｂサーバ３のＵＲＬを示すＷｅｂ情報３等、他のＷｅｂ情報に書き換えてもよい。また、ＮＦＣタグ３８に複数のＷｅｂ情報が書き込まれている場合、ＮＦＣライター部５１は、Ｗｅｂ情報を無効設定及び有効設定することによって、スマートフォン４０が読み出すＷｅｂ情報を指定してもよい。
【００７３】
また、ＮＦＣライター部５１が、Ｗｅｂサーバ側からの要求に応じて、ＮＦＣタグ３８に書き込まれているＷｅｂ情報を書き換えてもよい。無線ＬＡＮアクセスポイント５０は、ＷＡＮ回線部３５を介して、Ｗｅｂサーバ側からのＷｅｂ情報の書き換えの要求に関する情報を受信してもよい。もしくは、ＮＦＣライター部５１は、ＮＦＣタグ３８に書き込まれているＷｅｂ情報に関連するＷｅｂサーバへのアクセス数が一定数に達した場合に、他のＷｅｂ情報へ書き換えてもよい。Ｗｅｂ情報を書き換えるトリガーを示すアクセス数に関する情報は、無線ＬＡＮアクセスポイント５０を操作するユーザが任意に設定してもよく、ＷＡＮ回線部３５もしくはＬＡＮ回線部３６を介して通知されたメッセージに応じて、アクセス数が設定されてもよい。
【００７４】
以上説明したように、本発明の実施の形態４にかかるＮＦＣライター部５１におけるＮＦＣタグ３８の書き換え処理を用いることによって、無線ＬＡＮアクセスポイント５０へアクセスしたスマートフォン４０等を、指定のＷｅｂサーバへ誘導することができる。これにより、例えば、無線ＬＡＮアクセスポイント５０及びスマートフォン４０からなる通信システムを、広告に利用することできる。
【００７５】
上述の実施の形態では、本発明をハードウェアの構成として説明したが、本発明は、これに限定されるものではない。本発明は、図５、図６、図８及び図９において実行される処理を、ＣＰＵ（Central Processing Unit）にコンピュータプログラムを実行させることにより実現することも可能である。）
【００７６】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００７７】
なお、本発明は上記実施の形態に限られたものではなく、趣旨を逸脱しない範囲で適宜変更することが可能である。
【００７８】
（付記１）無線ＬＡＮ中継装置から、前記無線ＬＡＮ中継装置に接続するために用いることができる複数の接続情報を取得する情報取得部と、前記複数の接続情報の中から、具備する無線ＬＡＮ通信機能を実行するために用いることができる第１の接続情報を選択する情報選択部と、選択した前記第１の接続情報を設定して前記無線ＬＡＮ中継装置と無線ＬＡＮ通信する通信部と、を備える通信端末。
（付記２）前記情報取得部は、前記無線ＬＡＮ中継装置のＮＦＣタグに設定された前記複数の接続情報を、ＮＦＣリーダを用いて読み込む、付記１に記載の通信端末。
（付記３）前記接続情報は、ＳＳＩＤ及び暗号化情報を含み、前記情報選択部は、通信可能な周波数帯において使用することができる第１のＳＳＩＤ及び設定可能な第１の暗号化情報を含む前記第１の接続情報を選択する、付記１又は２に記載の通信端末。
（付記４）通信端末と通信する無線ＬＡＮ中継装置であって、前記無線ＬＡＮ中継装置に接続するために用いることができる複数の接続情報を管理する情報管理部と、前記複数の接続情報を前記通信端末へ送信する情報通知部と、前記複数の接続情報の中から、前記通信端末において具備する無線ＬＡＮ通信機能を実行するために用いることができる第１の接続情報を設定した前記通信端末と通信する無線ＬＡＮ通信部と、を備える無線ＬＡＮ中継装置。
（付記５）前記情報通知部は、ＮＦＣタグに格納されている前記複数の接続情報を、前記通信端末のＮＦＣリーダへ送信する、付記４に記載の無線ＬＡＮ中継装置。
（付記６）前記接続情報は、ＳＳＩＤ及び暗号化情報を含み、前記無線ＬＡＮ通信部は、前記通信端末において通信可能な周波数帯において使用することができる第１のＳＳＩＤ及び前記通信端末において設定可能な第１の暗号化情報を含む前記第１の接続情報を設定した前記通信端末と通信する、付記４又は５に記載の無線ＬＡＮ中継装置。
（付記７）前記情報通知部は、前記無線ＬＡＮ通信部が、前記第１の接続情報を設定した前記通信端末と通信を行った場合、前記情報管理部において管理されている前記複数の接続情報のうち、前記第１の接続情報を無効に設定し、前記複数の接続情報を前記通信端末とは異なる他の通信端末へ送信する、付記４乃至６のいずれか１項に記載の無線ＬＡＮ中継装置。
（付記８）前記情報通知部は、前記無線ＬＡＮ通信部が、前記複数の接続情報のうち、前記第１の接続情報とは異なる接続情報を設定した前記他の通信端末と通信を行った場合、前記第１の接続情報を有効に設定する、付記７に記載の無線ＬＡＮ中継装置。
（付記９）無線ＬＡＮ中継装置から、前記無線ＬＡＮ中継装置に接続するために用いることができる複数の接続情報を取得し、前記複数の接続情報の中から、具備する無線ＬＡＮ通信機能を実行するために用いることができる第１の接続情報を選択し、選択した前記第１の接続情報を設定して前記無線ＬＡＮ中継装置と無線ＬＡＮ通信する、通信方法。
（付記１０）通信端末と無線ＬＡＮ中継装置との間の通信方法であって、前記無線ＬＡＮ中継装置に接続するために用いることができる複数の接続情報を前記通信端末へ送信し、前記複数の接続情報の中から、前記通信端末において具備する無線ＬＡＮ通信機能を実行するために用いることができる第１の接続情報を設定した前記通信端末と通信する、通信方法。
（付記１１）無線ＬＡＮ中継装置から、前記無線ＬＡＮ中継装置に接続するために用いることができる複数の接続情報を取得し、前記複数の接続情報の中から、具備する無線ＬＡＮ通信機能を実行するために用いることができる第１の接続情報を選択し、選択した前記第１の接続情報を設定して前記無線ＬＡＮ中継装置と無線ＬＡＮ通信することをコンピュータに実行させるプログラム。
（付記１２）通信端末と通信する無線ＬＡＮ中継装置であるコンピュータに実行させるプログラムであって、前記無線ＬＡＮ中継装置に接続するために用いることができる複数の接続情報を前記通信端末へ送信し、前記複数の接続情報の中から、前記通信端末において具備する無線ＬＡＮ通信機能を実行するために用いることができる第１の接続情報を設定した前記通信端末と通信することをコンピュータに実行させるプログラム。
【符号の説明】
【００７９】
１０  無線ＬＡＮ中継装置
１１  情報管理部
１２  情報通知部
１３  無線ＬＡＮ通信部
２０  通信端末
２１  情報取得部
２２  情報選択部
２３  通信部
３０  無線ＬＡＮアクセスポイント
３１  ５Ｇ無線部
３２  ２．４Ｇ無線部
３３  制御部
３４  暗号化処理部
３５  ＷＡＮ回線部
３６  ＬＡＮ回線部
３７  メモリ
３８  ＮＦＣタグ
４０  スマートフォン
４１  ＮＦＣリーダ部
４２  ５Ｇ無線部
４３  ２．４Ｇ無線部
４４  制御部
４５  暗号化処理部
５０  無線ＬＡＮアクセスポイント
５１  ＮＦＣライター部
【図１】
2015216583.tif 000003
【図２】
2015216583.tif 000004
【図３】
2015216583.tif 000005
【図４】
2015216583.tif 000006
【図５】
2015216583.tif 000007
【図６】
2015216583.tif 000008
【図７】
2015216583.tif 000009
【図８】
2015216583.tif 000010
【図９】
2015216583.tif 000011